(57)【要約】  【課題】  作業者が雪庇の落下に巻き込まれる虞がない程度の遠隔操作を可能とし、落下する雪庇が干渉した場合であっても破損せず、しかも厚い氷を伴った雪庇も迅速且つ効率的に切断、落下させることを実現、可能とする新たな雪庇切断技術を提供する。  【解決手段】  建造物９軒先９１に並設した移動機構部２と、該移動機構部２に支持されて軒先９１に平行移動可能であり、且つ軒先９１から迫り出した雪庇Ｓに対し、その厚み方向に貫通状としてしまう適宜融雪エネルギー発生手段５が組み込まれ、緩衝機構６および姿勢駆動部７を有する貫通出力部３と、それら貫通出力部３、移動機構部２を夫々作動させ得るための動力供給源４と、それらの遠隔操作部８とを有し、該遠隔操作部８の遠隔操作によって当該貫通出力部３の融雪エネルギーを発生しながら、同貫通出力部３を当該移動機構部２によって軒先９１に平行移動可能になるものとした雪庇切除装置１である。【選択図】    図１
2007327241.tif 000002
【特許請求の範囲】
【請求項１】
建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源とを有し、当該貫通出力部の融雪エネルギーを発生しながら、同貫通出力部を当該移動機構部によって軒先に平行移動可能になるものとしたことを特徴とする雪庇切除装置。
【請求項２】
建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源とを有し、当該貫通出力部の融雪エネルギーを発生しながら、同貫通出力部を当該移動機構部によって軒先に平行移動させ、軒先から迫り出した雪庇を繰り返し貫通状としながら軒先に平行に連続移動するようにし、軒先から迫り出し状となっている雪庇を軒先辺りで切断、落下させてしまうことを特徴とする雪庇切除装置。
【請求項３】
建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとしたことを特徴とする雪庇切除装置。
【請求項４】
建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段が組み込まれ、雪庇の落下干渉後に元の姿勢に復帰可能とする緩衝機構を有する貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとしたことを特徴とする雪庇切除装置。
【請求項５】
建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段が組み込まれ、雪庇の落下干渉後に元の姿勢に復帰可能とする緩衝機構、および融雪エネルギーの発生方向を、雪庇基部と雪庇先端がわとを結ぶ軒先に略直交する方向に向けるよう姿勢変更可能とする姿勢駆動部を有する貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとしたことを特徴とする雪庇切除装置。
【請求項６】
貫通出力部が、気体、液体、半固体、粉状固体、粒状固体または発熱剤、融雪剤等の何れか、またはそれらの混合物質からなる融雪用流体を雪庇に対し、その厚み方向または上下方向に所定の圧力をもって貫通状としてしまうよう、指向性を有して噴射可能とするノズル、または気体もしくは液体燃料と、空気あるいは酸素とを混合する機能および／または着火機能を有するバーナーとするよう設定されたものとしてなる、前記請求項１ないし５何れか一項記載の雪庇切除装置。
【請求項７】
貫通出力部が、気体、液体、半固体、粉状固体、粒状固体または発熱剤、融雪剤等の何れか、またはそれらの混合物質からなる融雪用流体を雪庇に対し、その厚み方向または上下方向に所定の圧力をもって貫通状としてしまうよう、指向性を有して噴射可能とされたノズルであって、その噴射口に遠隔操作により、融雪用流体の噴射形状を適宜変更可能とする噴射形状変更機構を設けるよう設定されたものとしてなる、前記請求項１ないし５何れか一項記載の雪庇切除装置。
【請求項８】
貫通出力部が、レーザー光を照射可能なレーザー発振器、または他所に設けられたレーザー発振器から発生されたレーザー光を光ファイバーまたは反射ミラーなどからなる光回路を用いて誘導し、そのレーザー光の指向性を保ったまま照射可能とした照射ガンの何れか一方に設定されたものとしてなる、前記請求項１ないし５何れか一項記載の雪庇切除装置。
【請求項９】
貫通出力部が、棒状をした発熱体または赤外線輻射体に形成され、それ自体が雪庇に対して熱伝達および／または輻射熱を発生可能とするよう、設定されたものとしてなる、前記請求項４または５何れか一項記載の雪庇切除装置。
【請求項１０】
貫通出力部が、回転または往復駆動源を有する鋸工具からなり、その切り刃が、発熱体または赤外線輻射体に形成され、それ自体が雪庇に対して回転もしくは往復動しながら機械的切り込みを行い、且つ熱伝達および／または輻射熱を発生可能とするよう、設定されたものとしてなる、前記請求項４または５何れか一項記載の雪庇切除装置。
【請求項１１】
移動機構部が、貫通出力部との連結、移動範囲の適所か、または貫通出力部の連結部分かの中の、少なくとも何れか一方に貫通出力部と同じ融雪エネルギー発生手段か、またはそれとは異なる発熱源かの何れかを添設し、移動機構部と貫通出力部との連結箇所の着雪や凍結などを防止可能とするよう設定されたものとしてなる、前記請求項１ないし５何れか一項記載の雪庇切除装置。
【請求項１２】
融雪エネルギー発生手段が、洗車業務用または一般家庭清掃用に製造された高圧温水洗浄機であって、屋外の地上適所に設置可能とするか、あるいは据え置き設置されたものかの何れかとするよう設定されたものとしてなる、前記請求項１ないし５何れか一項記載の雪庇切除装置。
【請求項１３】
前記請求項５または請求項７何れか一項記載の雪庇切除装置を用い、該貫通出力部を移動機構部の駆動によって建造物軒先に平行状に所定距離移動させてから、貫通出力部の姿勢駆動部または噴射形状変更機構の何れか一方を駆動させると共に、雪庇の基部から先端がわ、または先端がわから基部へ向けて適宜融雪エネルギーを出力し、軒先に迫り出した雪庇の軒先に沿った所定巾範囲１箇所または複数箇所を分断した後、貫通出力部の姿勢駆動部または噴射形状変更機構の何れか一方を駆動させて貫通出力部を所定巾に分断された雪庇基部の軒先平行方向の何れか一方端に向けた上、適宜融雪エネルギーを出力しながら移動機構部を駆動させ、所定巾に分断済みの１個または複数個の雪庇部分のみを落下させてから、再度移動機構部の駆動によって貫通出力部を、落下させた雪庇部分に隣接し、未だ軒先に残存している雪庇の所定巾箇所に移動させ、姿勢駆動部または噴射形状変更機構の何れか一方を駆動すると共に適宜融雪エネルギーを出力させて残存雪庇を所定巾に分断し、貫通出力部を１個または複数個の分断済み雪庇基部の軒先平行方向の何れか一端に向けた上、適宜融雪エネルギーを出力しながら移動機構部を駆動させて１個または複数個の分断済みの雪庇部分を落下させるという工程を、軒先の略全巾に亘って繰り返すようにしたことを特徴とする雪庇切除方法。
【請求項１４】
前記請求項５または請求項７何れか一項記載の雪庇切除装置を用い、該貫通出力部を移動機構部の駆動によって建造物軒先に平行状に所定距離移動させてから、貫通出力部の姿勢駆動部または噴射形状変更機構の何れか一方を駆動させると共に、雪庇の基部から先端がわ、または先端がわから基部へ向けて適宜融雪エネルギーを出力し、軒先に迫り出した雪庇の軒先に沿った所定巾範囲を分断し、これと同様の分断工程を軒先の略全幅に亘って繰り返した後、貫通出力部の姿勢駆動部または噴射形状変更機構の何れか一方を駆動させて貫通出力部を所定巾に分断された何れか１個の雪庇基部の軒先平行方向の何れか一端に向けた上、適宜融雪エネルギーを出力しながら移動機構部を駆動させ、所定巾に分断済みの１個の雪庇部分のみを落下させ、続いて同様に、未だ残存している分断された何れか１個の雪庇基部の軒先平行方向の何れか一端に向けた上、適宜融雪エネルギーを出力しながら移動機構部を駆動させ、所定巾に分断済みの別の１個の雪庇部分のみを落下させるという工程を、軒先の略全巾に亘って繰り返すようにしたことを特徴とする雪庇切除方法。                
【発明の詳細な説明】
【技術分野】
【０００１】
この発明は、除雪に関連するあらゆる分野をその技術分野とするものであり、特に建造物の屋根に生成する雪庇を除去可能とする装置は勿論のこと、その製造および設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                              
【背景技術】
【０００２】
（着目点）
工場や店舗など比較的大型な建造物の屋根には、比較的軽量で単位面積当たりの柱数を少なく設定可能であって広い屋内スペースの確保ができ、しかも積雪荷重に十分に耐える高い強度を確保可能である上、構造形式が簡素化されて工期の短縮化にも繋がり、それだけ建設コストを押さえられて経済性にも秀れているなどの理由から、薄鋼鈑の折板構造によるものが広く採用されているものの、こうした屋根構造形式による建造物は、大抵のものが大形であって、しかも高所作業になるものが多いことに加え、鋼鈑という素材に起因して滑り易いなど幾つかの原因が重なり、その雪下ろし作業には危険を伴うこととなるが、通常程度の降雪状況では、逆にその構造形式が味方して自然落下することから危険な雪下ろしが不要となり、そうした気象条件に恵まれた年の冬期間には労力的または経済的負担を大幅に軽減できる有利な建造物となる。
【０００３】
しかしながら、運悪く豪雪に見回れたり、豪雪ではないものの気象条件が悪くて自然落下しないままに積雪が進んでしまうといった事態が一旦発生すると、屋根上の積雪は軒先を越えて軒の外側にまで迫り出してしまい、所謂雪庇といわれている厚い板状の雪の壁が空中に片持ち梁状となって突き出て最悪には軒先から２ｍ以上も直線的に迫り出し、軒下周辺の通行が危険に晒されてしまうことになったり、あるいは、数ｍの積雪の後に日照が続くなど気象条件によっては屋根の雪全体がゆっくり移動して雪庇となるような場合には、屋根面に接した雪庇の下面が日中に解けて夜間に再凍結する現象を繰り返し、厚さ１０・以上の硬い氷の層を形成してその後の降雪とどんどん結合して一体化し、多少の日照によって落下はせずに餅が垂れ下がるように下向きに彎曲するよう成長して延び続け、ひどいときには３ｍにも成長してしまった後、それらが何かの原因で一挙に落下するという極めて危険な場面を招来し、これら硬くて重い雪庇の落下によって工場の壁やサッシュ、ブロック塀などを破壊したり、折板屋根の軒が下向きに折れ曲げられて鉄板が裂け、雨漏りの原因となってしまう等の被害を被ることがある外、このような危険を回避するために迫り出した雪庇を除去しようとした従業員が、一気に落下した雪庇に巻き込まれて死亡してしまうという痛ましい事故も毎年繰り替えされている程である。
【０００４】
このような工場や店舗における折板構造屋根に発生する雪庇の除去作業は、作業者が屋根に登ってスコップ等で軒先を掘り下げて雪庇部分を落下させるというのが一般的であるが、積雪が邪魔をして軒先と雪庇との境界が不明確なために誤って雪庇の上に乗ってしまう危険性が高く、また、雪庇の落下に伴って足下の積雪が引き摺られ、作業者がこれに巻き込まれてしまうなどという虞もあり、非常に危険な作業となっていた。さらにまた、一般住宅や比較中小規模の店舗における屋根にできた雪庇を除去する場合であっても、雪庇落とし用の作業工具や雪掃き具等を用いて地上から叩き落とすため、やはり落下する雪に巻き込まれてしまうという危険を伴う作業となってしまうにも拘わらず、未だ安全な雪庇落としの技術が実現化されていないというのが現状であった。
【０００５】
（従来の技術）
そうした中にも、その打開策となるような技術手段の提案がない訳ではなく、例えば特開２００２−２７６１９８号公報「雪害の軽減方法、及び雪庇切り落とし装置」発明として提案されているもののように、軒先に沿わせて略水平な案内手段を設置し、該案内手段に沿って走行可能な走行体に、雪庇の根本付近を切り離し可能とする鋸手段を搭載し、該走行体を軒端に沿って走行させつつ、鋸手段を作動させて雪庇を切り離し、その自重によって落下させることを可能としたものや、特開２００５−９２３９号公報に開示された「雪庇切断装置」発明のように、軒先左右端部分の夫々に支持部を着脱可能に固定し、これら左右支持部間を往復動して雪庇を切るカッター部および該カッター部を往復動させる動作部、ならびに該動作部に動力を伝達する伝達部を設けてなり、伝達部がカッター部を、軒先左右端の支持部間に沿って往復動させることにより、雪庇を切断可能とし、雪庇の除去作業を簡便且つ迅速なものにすることを可能としたもの等が散見される。
【０００６】
しかし、前者の「雪害の軽減方法、及び雪庇切り落とし装置」発明は、鋸手段として丸鋸やチェーンソーの外、おさのこ（両刃の往復動式の鋸）の何れかの使用を可能にする外、業務用の氷鋸を用いることもできるとしているが、丸鋸やチェーンソーなどを駆動するには、その駆動源としてモーターやエンジンを用いることとなり、作動中には凍結し硬化した雪庇と鋸の金属とが接触し、激しい騒音を発生させてしまう虞が高く、住宅密集地などにおける利用には不向きなものといわざるを得ず、また、往復動式の鋸は、切断中に雪庇部分よりも上位の屋根雪が一緒に落下するような現象（振動等の原因でしばしば発生する。）を起こしてしまったとき、過大な荷重を受けて折損してしまう虞があるという欠点を有するものであり、また後者の「雪庇切断装置」発明は、そのカッター部に、新雪の柔らかい雪庇ができた直後に切断するのに有効なピアノ線を用いるようにしたものとなっており、底面に１０・もの厚さの氷層が形成された雪庇を切断するにはかなりの困難を伴うこととなってしまうなど氷の層を伴った雪庇が生成されてしまっいるような状態のときには使用不可能となってしまうといった欠点を抱えるものであった。                                                          
【特許文献１】（１）特開２００２−２７６１９８号公報  （２）特開２００５−９２３９号公報
【発明の開示】
【発明が解決しようとする課題】
【０００７】
（問題意識）
上述したとおり、従前までに提案のある前者の「雪害の軽減方法、及び雪庇切り落とし装置」発明は、鋸手段に丸鋸やチェーンソーを用いるために騒音が発生して市街地などの利用には不都合な面があり、また雪庇部分よりも上位の屋根雪の予期せぬ落下により、鋸が破損してしまう危険性が極めて極めて高く、安全、効率的且つ経済的な利用が難しいという欠点を有しており、また後者の「雪庇切断装置」発明は、カッター部にピアノ線を用いたものであって雪庇の状態によっては使用可能となることがあるという課題を残しており、それら従前までに提案のある手段によるもののような不具合を解消した上、しかも現場は悪条件下のところが多い上に危険を伴う作業となるため、それらを考慮して遠隔操作が可能になるなど、雪庇の発生現場に見合った安全で使い勝手もよく、効率的な作業を保証し得る新たな雪庇除去技術の実用化を必要としている。
【０００８】
（発明の目的）
そこで、この発明は、作業者が雪庇の落下に巻き込まれる虞がない程度の遠隔操作を可能とし、落下する雪庇や雪庇部分よりも上位の雪が干渉した場合であっても破損せず、しかも厚い氷を伴った雪庇も迅速且つ効率的に切断、落下させることを実現、可能とする新たな雪庇切断技術の開発はできないものかとの判断から、逸速くその開発、研究に着手し、長期に渡る試行錯誤と幾多の試作、実験とを繰り返してきた結果、今回、遂に新規な構造の雪庇切除装置、およびそれを利用した新規な雪庇切除方法を実現化することに成功したものであり、以下では、図面に示すこの発明を代表する実施例と共に、その構成を詳述することとする。                                                                    
【課題を解決するための手段】
【０００９】
（発明の構成）
図面に示すこの発明を代表する実施例からも明確に理解されるように、この発明の雪庇切除装置は、基本的に次のような構成から成り立っている。
即ち、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源とを有し、当該貫通出力部の融雪エネルギーを発生しながら、同貫通出力部を当該移動機構部によって軒先に平行移動可能になるものとした構成を要旨とする雪庇切除装置である。
【００１０】
この基本的な構成からなる雪庇切除装置を換言すると、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源とを有し、当該貫通出力部の融雪エネルギーを発生しながら、同貫通出力部を当該移動機構部によって軒先に平行移動させ、軒先から迫り出した雪庇を繰り返し貫通状としながら軒先に平行に連続移動するようにし、軒先から迫り出し状となっている雪庇を軒先辺りで切断、落下させてしまうことを可能とするようにした構成からなる雪庇切除装置となる。
【００１１】
さらに表現を変えると、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとした構成からなる雪庇切除装置となる。
【００１２】
上記の基本的な構成によるこの発明の雪庇切除装置を、より具体的なものとして示すならば、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段が組み込まれ、雪庇の落下干渉後に元の姿勢に復帰可能とする緩衝機構を有する貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとした構成からなる雪庇切除装置となる。
【００１３】
同様に、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段が組み込まれ、雪庇の落下干渉後に元の姿勢に復帰可能とする緩衝機構、および融雪エネルギーの発生方向を、雪庇基部と雪庇先端がわとを結ぶ軒先に略直交する方向に向けるよう姿勢変更可能とする姿勢駆動部を有する貫通出力部と、それら貫通出力部、移動機構部を夫々作動させ得るための動力供給源と、それらの遠隔操作部とを有し、該遠隔操作部の遠隔操作によって当該貫通出力部の融雪エネルギーを発生しながら、同貫通出力部を当該移動機構部によって軒先に平行移動可能になるものとした雪庇切除装置ということが可能である。
【００１４】
（関連する発明）
上記した、雪庇切除装置に関連し、この発明には、それを使用した雪庇切除方法も包含している。
即ち、前記したこの発明の雪庇切除装置を用い、当該貫通出力部を移動機構部の駆動によって建造物軒先に平行状に所定距離移動させてから、貫通出力部の姿勢駆動部または噴射形状変更機構の何れか一方を駆動させると共に、雪庇の基部から先端がわ、または先端がわから基部へ向けて適宜融雪エネルギーを出力し、軒先に迫り出した雪庇の軒先に沿った所定巾範囲１箇所または複数箇所を分断した後、貫通出力部の姿勢駆動部または噴射形状変更機構の何れか一方を駆動させて貫通出力部を所定巾に分断された雪庇基部の軒先平行方向の何れか一方端に向けた上、適宜融雪エネルギーを出力しながら移動機構部を駆動させ、所定巾に分断済みの１個または複数個の雪庇部分のみを落下させてから、再度移動機構部の駆動によって貫通出力部を、落下させた雪庇部分に隣接し、未だ軒先に残存している雪庇の所定巾箇所に移動させ、姿勢駆動部または噴射形状変更機構の何れか一方を駆動すると共に適宜融雪エネルギーを出力させて残存雪庇を所定巾に分断し、貫通出力部を１個または複数個の分断済み雪庇基部の軒先平行方向の何れか一端に向けた上、適宜融雪エネルギーを出力しながら移動機構部を駆動させて１個または複数個の分断済みの雪庇部分を落下させるという工程を、軒先の略全巾に亘って繰り返すようにした構成を要旨とする雪庇切除方法である。
【００１５】
また、同様に当該貫通出力部を移動機構部の駆動によって建造物軒先に平行状に所定距離移動させてから、貫通出力部の姿勢駆動部または噴射形状変更機構の何れか一方を駆動させると共に、雪庇の基部から先端がわ、または先端がわから基部へ向けて適宜融雪エネルギーを出力し、軒先に迫り出した雪庇の軒先に沿った所定巾範囲を分断し、これと同様の分断工程を軒先の略全幅に亘って繰り返した後、貫通出力部の姿勢駆動部または噴射形状変更機構の何れか一方を駆動させて貫通出力部を所定巾に分断された何れか１個の雪庇基部の軒先平行方向の何れか一端に向けた上、適宜融雪エネルギーを出力しながら移動機構部を駆動させ、所定巾に分断済みの１個の雪庇部分のみを落下させ、続いて同様に、未だ残存している分断された何れか１個の雪庇基部の軒先平行方向の何れか一端に向けた上、適宜融雪エネルギーを出力しながら移動機構部を駆動させ、所定巾に分断済みの別の１個の雪庇部分のみを落下させるという工程を、軒先の略全巾に亘って繰り返すようにした雪庇切除方法であるということが可能である。                                                                  
【発明の効果】
【００１６】
以上のとおり、この発明の雪庇切除装置によれば、建造物軒先に並設した移動機構部と、該移動機構部に支持されて軒先に平行移動可能であり、且つ軒先から迫り出した雪庇に対し、その厚み方向または上下方向に貫通状としてしまう適宜融雪エネルギー発生手段の組み込まれた貫通出力部と、それら貫通出力部、移動機構部を夫々作動させ得るための動力供給源とを有し、当該貫通出力部の融雪エネルギーを発生しながら、同貫通出力部を当該移動機構部によって軒先に平行移動可能になるものとし、従前までの鋸やカッター部などのように雪庇を機械的に切断する構造のものに比較し、貫通出力部を小型、軽量化することが容易であって、移動機構部の駆動負荷を大幅に削減し、動力供給源のエネルギー消費量を低減することができ、しかも切断、落下する雪庇の干渉や、屋根上を滑落してくる積雪の衝突などに起因する破損や変形といった故障の発生を悉く防止できるという秀れた特徴が得られるものである。
【００１７】
加えて、雪庇から遠隔した安全な場所から貫通出力部、移動機構部および動力供給源などを操作可能とする遠隔操作部を設け、従前より大きな課題とされてきた作業者の安全を十分に確保できるものとし、雪庇の落下や屋根上積雪の滑落等に巻き込まれてしまうような痛ましい事故の発生を確実に阻止可能とすることができ、さらに、貫通出力部に緩衝機構を設けたものでは、万が一落下する雪庇あるいは雪庇よりも上位の屋根雪が当該貫通出力部に干渉してしまうような場合にも、速やかに元の姿勢に復帰可能となり、作業者が屋根から軒先といった悪条件下の箇所まで登って貫通出力部の向きを調整したり、破損箇所を修理、交換するなどといった極めて危険な作業を一切不要とし、より安全性に効率的な雪庇除去作業を実現化できるものとなる。
【００１８】
また、貫通出力部に姿勢駆動部を設けたものとすると、貫通出力部を雪庇基部と雪庇先端がわとを結ぶ軒先に略直交する方向に向けるよう姿勢変更可能となり、雪庇を除去する前段階において軒先巾方向の所定範囲毎に雪庇を分断しておき、その後に雪庇の基部を軒先に平行に切断し、所定巾の雪庇毎を個別に落下させるよう切除作業を進めることができることから、軒先の全幅に亘って成長した雪庇が一気に切断、落下してしまって不測の騒音や振動を発生させたり、建造物外壁や塀などの周辺物の破壊等といった不慮の事故を未然に防止できるという効果を発揮するものとなる。
【００１９】
貫通出力部を、雪庇の厚み方向または上下方向に融雪用流体によって所定の圧力で貫通状としてしまうよう指向性ある噴射可能なノズルとしたものでは、気体、液体、半固体、粉状固体、粒状固体または発熱剤、融雪剤等の何れか、あるいはそれらの混合物質など、様々な物質を雪庇に向け噴射して溶解、切断することが可能となり、または、気体もしくは液体燃料と、空気あるいは酸素とを混合する機能および／または着火機能を有するバーナーとしたものでは、その火炎によって雪庇を効率的に溶断、落下させることが可能となる等、鋸やカッター部などを用いた従来構造に比較して騒音や振動の発生を大幅に低減し、切り刃の摩耗も一切無く、住宅地や図書館、医療施設等の騒音を嫌う建造物やその近隣地域での使用にも適しているなど、秀れた優位性を有するものとなる。
【００２０】
さらに、貫通出力部に噴射形状変更機構を設けたものでは、融雪用流体の噴射形状を適宜変更し、雪庇の凍結状態や彎曲形状などに応じて、その都度、最適となる噴射形状を選択的に設定することが可能となり、比較的薄く柔らかな雪庇の場合には、軒先から迫り出した基部から先端までの範囲に融雪用流体を噴射し、雪庇を切断せずに溶解、消失させてしまったり、あるいは噴射形状の変更によって実質的にノズルの向きを変更したのと同様の作用を得るように制御できるなどといったことが可能となり、雪庇の除去作業をより効率的に行うことができるようになるという特徴が得られるものとなる。
【００２１】
貫通出力部を、レーザー光を照射可能なレーザー発振器、または他所に設けられたレーザー発振器から発生されたレーザー光を光ファイバーまたは反射ミラーなどからなる光回路を用いて誘導し、そのレーザー光の指向性を保ったまま照射可能とした照射ガンの何れか一方に設定したものでは、前述のノズルからなるものに比較して融雪用流体の供給が不要となり、レーザー光を発振可能とするエネルギーを供給するだけですますことができ、発振器の構造によっては電力の供給のみによって比較的簡便にレーザー光を照射可能なものとすることが可能となり、構造の大幅な簡素化に繋げることができるという実用的な効果を奏するものとなる。
【００２２】
さらにまた、移動機構部を、貫通出力部との連結移動範囲の適所か、または貫通出力部の連結部分かの中の、少なくとも何れか一方に貫通出力部と同じ融雪エネルギー発生手段か、またはそれとは異なる発熱源かの何れかを添設し、移動機構部と貫通出力部との連結箇所の着雪や凍結などを防止可能とするよう設定したものでは、移動機構部に積雪や氷などが付着した場合にも速やかにそれらを溶解、除去することが可能となり、移動機構部の作動不良を大幅に削減できるものとすることができるという利点を得る。
【００２３】
融雪エネルギー発生手段を、洗車業務用または一般家庭清掃用に製造された高圧温水洗浄機であって、屋外の地上適所に設置可能とするか、あるいは据え置き設置されたものかの何れかとするよう設定したものでは、当該雪庇切除装置の中で、恐らく一番開発コストが必要となるであろう融雪エネルギー発生手段を、既製品である高圧温水洗浄機に置き換えることが可能となり、製造コストおよび維持管理コストなどを格段に低減することができるという秀れた効果を発揮するものとなる。
【００２４】
一方、この発明の雪庇切除方法によれば、雪庇の軒先に平行する所定範囲部分を、その基部から先端がわ、または先端がわから基部へ向けて切断する工程と、その後に分断済みの雪庇を軒先に平行する方向に切断して概略ブロック状に分割した雪庇部分毎を、個別に切断、落下させるよう切除作業を進めるという作業工程となし、軒先の全幅に亘って成長している雪庇が、切除作業の開始に連鎖して一挙に落下してしまうのを確実に阻止可能とし、過大な騒音や振動の発生を防止すると共に、それらに起因した不測の事故の発生を確実に防止できるという大きな特徴を得ることができる。
【００２５】
また、この雪庇切除方法により、軒先に平行な所定範囲毎の１個もしくは複数個毎の雪庇部分を分断した後に、それらを個別に切断、落下させてから残存する軒先に平行な所定範囲毎の１個もしくは複数個毎の雪庇部分を分断し、個別に切断、落下させるという作業工程を踏むようにし、貫通出力部の移動量を削減して作業効率を大いに高めるものとすることができ、さらに、軒先の全幅に亘る雪庇の全てを、軒先に平行な所定範囲毎に分断してしまった後、それら分断された雪庇部分の１個毎を個別に切除、落下させてゆくという作業工程となしていて、この工程によらず、分断されずに連なったまま残存する雪庇部分が一挙に落下してしまうという不測の事態を確実に防止し得ることから、安全性をより高めたこれまでにはない秀れた雪庇切除方法とすることができる。                                                                                  
【発明を実施するための最良の形態】
【００２６】
上記したとおりの構成からなるこの発明の実施に際し、その最良もしくは望ましい形態について説明を加えることにする。
移動機構部は、貫通出力部を建造物軒先に沿って略平行状に移動可能とするよう支持し、且つ外部からの操作を受けて貫通出力部を軒先に沿って往復移動および任意箇所に停止可能とする機能を果たすものであり、貫通出力部を所定の姿勢に支持可能とする十分な強度を有するものとしなければならず、軒先から落下する雪庇が干渉しないよう十分に配慮された箇所に設置されたものとすべきであり、軒下とその直下に位置する建造物壁面との間に形成された空間に配置されたものとするのが望ましく、より具体的には、軒先に沿って併設されたラックと、これに噛合する歯車からなるラックアンドピニオン機構とを利用したものや、軒先に略平行状且つ軸心周りに回転自在に架け渡されたネジと、これに螺着されたナットとからなる送りネジ機構を用いたもの、またはリニアモーターを利用したものとすることができる外、軒先に沿って併設されたガイドレールとそれに滑動自在に吊り下げられたローラーブラケットとからなり、該ローラーブラケットに駆動用モーターを設けて電流の供給によって進退移動可能としたものや、あるいは後述する実施例にも示すように、ガイドレールに平行状に張設されたワイヤーケーブルの中途適所に該ローラーブラケットの適所を連結し、該ワイヤーケーブルの左右側からの適宜牽引操作によって左右進退移動可能としたものとすることなどができる。
【００２７】
移動機構部のガイドレールを、より具体的なものとして示すと、所定断面の棒状やパイプ状などに形成され、貫通出力部のブラケットなどが外側から摺動移動自在に嵌着されるか、または、外側から複数のガイドローラーなどを介して転動移動自在に嵌着されたものかの何れかとすることができる外、案内範囲に亘る周壁面に案内溝を形成したパイプ状に形成したものや、アリ溝かアリかの何れかの断面形状に形成されたもの、あるいは、軒先に平行に固定された複数本の棒状体や十分な強度をもって張設されたワイヤーなどといった様々なものに設定可能となる。
【００２８】
移動機構部は、貫通出力部との連結移動範囲の適所か、または貫通出力部の連結部分かの中の、少なくとも何れか一方に貫通出力部と同じ融雪エネルギー発生手段か、またはそれとは異なる発熱源かの何れかを添設し、移動機構部と貫通出力部との連結箇所の着雪や凍結などを防止可能とするよう設定されたものとすることが可能であり、より具体的に示すと、後述する実施例にも示すように、貫通出力部に所定圧力をもって供給される温水の一部を、移動範囲の適所か、または貫通出力部の連結部分かの中の少なくとも何れか一方に供給するよう設定されたものとすることができる。
【００２９】
貫通出力部は、建造物軒先から迫り出した雪庇に対し、その厚み方向または上下方向に貫通状としてしまう適宜融雪エネルギーを発生可能とする機能を果たし、凍結を伴った厚く硬い雪庇であっても十分な熱エネルギーまたは化学的融解性能等を発揮して効率的に切断または消雪可能とするものとしなければならず、目標とする雪庇溶断箇所に十分な指向性を有して切断または消雪可能にするものとすべきであり、より具体的には、圧縮空気や加熱空気、蒸気、窒素ガス等の気体、水、塩水、湯、融雪液等の液体、雪庇に付着して伝熱可能な発熱性を有するか、または加温されたゲル状体、樹脂粉粒、砂、小石、金属粉粒、氷粒等さまざまな粉状固体、粒状固体、または微粉炭、セラミックス粒等の赤外線を発生する発熱剤や、塩化カルシウム粉粒などの融雪剤等の何れか、またはそれらの混合物質からなる融雪用流体を雪庇に対し、その厚み方向または上下方向に所定の圧力をもって貫通状としてしまうよう、指向性を有して噴射可能とするノズルとすることが可能であり、該ノズルは、その噴射口に遠隔操作によって融雪用流体の噴射形状を適宜変更可能とする噴射形状変更機構を設けるよう設定されたものとしたり、またはアセチレンガスやプロパンガス、都市ガスなどの気体もしくはアルコール、灯油、軽油、重油、ガソリンなどの液体燃料と、空気あるいは酸素とを混合する機能および／または着火機能を有するバーナーとするよう設定されたものとすることができ、当該バーナーは、微粉炭を連続噴射して着火して火炎放射させるものとすることも不可能ではない。
【００３０】
さらに、貫通出力部は、レーザー光を照射可能なレーザー発振器、または他所に設けられたレーザー発振器から発生されたレーザー光を光ファイバーまたは反射ミラーなどからなる光回路を用いて誘導し、そのレーザー光の指向性を保ったまま照射可能とした照射ガンの何れか一方に設定されたものとすることが可能である外、棒状の外郭形状をなしたステンレスパイプにニクロム線を内蔵したものや、逆Ｕ字型棒状パイプ中に給湯あるいは蒸気循環可能としたもの等の発熱体、または遠赤外線ヒーターそれ自体からなる赤外線輻射体に形成され、それ自体が雪庇に対して熱伝達および／または輻射熱を発生可能とするよう設定されたものとすることができ、棒状に形成されたものの場合には、雪庇の落下による破損を防止するための緩衝機構を設けたものとするのが望ましい。
【００３１】
貫通出力部は、回転または往復駆動源を有する両刃鋸や回転ディスクなどの鋸工具からなり、その切り刃が、電圧の印可または外部発熱体からの伝熱などによって放熱可能な発熱体または赤外線輻射体に形成され、それ自体が雪庇に対して回転もしくは往復動しながら機械的切り込みを行い、且つ熱伝達および／または輻射熱を発生可能とするよう、設定されたものとすることも不可能ではなく、この場合にも雪庇の落下による破損を防止するため、緩衝機構を設けたものとすべきである。
【００３２】
融雪エネルギー発生手段は、移動機構部に沿って自在に移動する貫通出力部に雪庇を貫通可能とする融雪エネルギーを供給または発生可能とするという機能を果たすものであり、軒先に生成した雪庇の全てを十分に切断、除去できる程度に融雪エネルギーを連続的または断続的に供給可能としたものとしなければならず、具体的には、建造物の適所か地上、その他の適所に移動可能に設置するか、あるいは据え置き設置した高圧温水洗浄機や高圧水洗浄機とすることが可能である外、蒸気や熱湯、温水を供給、放出可能とするか、もしくはパイプ中を循環可能に供給するボイラや給湯装置、圧縮空気またはその他の圧縮ガスを放出可能とするボンベか、加熱して放出可能とする加熱機構を有するボンベ、バーナーに対してアセチレンボンベと酸素ボンベとを適宜割合となるよう供給し、着火させる機能を与えたものとすることが可能であり、あるいは外部電力の供給を受けて発熱する抵抗体や発光体、レーザー発振器またはレーザー発振器から出力されたレーザー光を、反射ミラーや光ファイバーなどを用いて貫通出力部の適所まで誘導する光回路とすることが可能であり、さらにまた、雪庇を融解可能な発熱あるいは発光機能を有する発熱体を添設するか、あるいは工具それ自体が外部エネルギーの供給を受けて発熱あるいは発光する機能を有するかの何れか一方とした鋸工具を回転または往復駆動可能とするモーターやエンジン等の駆動源とすることができ、さらに、これら発熱体または鋸工具に、発熱または発光に必要な電力や電磁誘導、給湯、蒸気、反応薬剤などを供給する供給源とすることもできる。
【００３３】
緩衝機構は、貫通出力部が落下する雪庇に緩衝した場合にも、柔軟にこれを回避して速やかに元の姿勢に復帰可能とする機能を果たすものであり、貫通出力部の姿勢を所定の向きに支持可能とすると共に、下向きの外力が加わったときに一時的に下向きに姿勢変更可能であり、下向きの外力が無くなったときには、直ちに貫通出力部の姿勢を所定の向きに自動的に復帰させることのできるものとしなければならず、より具体的にはゴムや軟質発泡樹脂の弾性力を利用したものや、永久磁石や電磁石等の反発力を利用したものの外、ガスシリンダーや油圧シリンダーにバネを加えたダンパー機構からなるもの、または後述する実施例にも示すようなコイルバネや板バネ、渦巻バネ、その他のバネを利用したものとすることなどが可能である。
【００３４】
姿勢駆動部は、移動機構部の融雪エネルギーの発生方向を、雪庇基部と雪庇先端がわとを結ぶ軒先に略直交する方向に向けるよう姿勢変更可能とし、実質的に軒先に略直交する方向に雪庇を切断可能とする機能を果たすものであり、軒先に迫り出した雪庇の先端側と基端側とを結ぶ範囲に亘り、移動機構部の融雪エネルギーの発生方向を移動可能としたものとし、且つ安全が確保された場所から遠隔操作可能なものとしなければならず、より具体的には、遠隔操作可能なエアシリンダーや油圧シリンダーなどを利用した各種アクチュエータ、リンク機構、ワイヤー牽引、その他の駆動機構からなるものとすることができ、それらの駆動源にモーター、コンプレッサー、油圧ポンプ、エンジンなどを利用したものとすることができる外、直接作業者がハンドルやレバー、ケーブル、ワイヤー、ロットなどを押し引き操作するようにしたものとすることも可能である。
【００３５】
遠隔操作部は、雪庇が落下する可能性のある範囲や、積雪がひどいなどといった作業性の悪い場所などから離れた適所から、貫通出力部および移動機構部の夫々を適宜自在に操作可能とする機能を果たすものであり、制御プログラムなどを要さずに、作業者が貫通出力部や移動機構部を目視または監視カメラなどによって雪庇の状態をモニターしながら切除操作可能とするものとしなければならず、電波や信号ケーブルなどを用いたリモートコントロールによるものとしたり、必要に応じて雪庇量の測量装置や積雪量の観測装置などを併設し、それらの測定値に応じて雪庇の切除作業の要否を判断できるようにすることが可能であり、より具体的には、後述する実施例にも示すように、建造物軒先直下の左右端側夫々にプーリーを設置し、それら一対のプーリー間にオープンベルト状に架け渡した無端状ワイヤーケーブル、チェーンまたはロープの一部に移動機構部に沿って移動自在に吊り下げられた貫通出力部の適所を連結し、別の中途部を建造物端部の地上付近まで垂れ下げて地上の作業者が直接牽引操作可能になるものとする外、移動機構部または移動機構部に設けられた動力供給源としてのモーターやエンジンおよびそれらのギアボックス等を遠隔操作可能としたものなどとすることが可能である。そして、この遠隔操作部は、必要に応じて貫通出力部に添設された姿勢駆動部や緩衝機構または噴射形状変更機構なども電気的または機械的に自在に遠隔操作できるようにしたものとするのが望ましい。
【００３６】
噴射形状変更機構は、貫通出力部を形成するノズルから噴射される流体、ゲル状体、粉体、粒体またはそれらの混合流体の噴射形状を、遠隔操作によって適宜変更可能とする機能を果たすものであり、雪庇をポイント的に貫通するストレート状、面状に貫通するシャワー状、直線状に貫通する扇状など様々な噴射形状に切り換え可能とするのが望ましく、噴射形状をノズルの軸心周りに回転移動させることができるようにすることも可能であり、より具体的には、形状の異なる吐出口を点在状に形成した切り換え板をノズル先端に組み込み、該切り換え板をノズルに対して回転させてノズルに所望形状の吐出口を一致させるよう遠隔操作で噴射形状を自在に変更できるようにしたものや、ノズル先端に絞り込み操作可能なシャッター機構を設け、該シャッターの開度を遠隔操作により変更して噴射形状を変更可能としたものなどとすることができる。
【００３７】
動力供給源は、移動機構部に沿った貫通出力部の駆動力、貫通出力部の貫通力、また必要に応じて設けられた姿勢駆動部の姿勢制御力や、緩衝機構の姿勢帰力、噴射形状変更機構の変更制御力など、貫通出力部の正常な動作に要求される様々な原動力またはそれを発生するために必要となる各種エネルギーを供給あるいは発生可能とする機能を果たすものであり、各目的に応じて十分な出力が適正に得られるように設定されたものとしなければならず、より具体的には、移動機構部のためのモーター、エンジン、およびそれらに供給される電力や燃料、またはワイヤーやチェーン、レバー、ハンドルなどを介した作業者自らの入力などであり、また貫通出力部をノズルとした場合の水道供給源や高圧温水洗浄機、高圧水洗浄機、ボイラ、給湯装置、各種ガスボンベ、コンプレッサー、バーナーとした場合のアセチレンガスボンベや酸素ボンベ、レーザーガンとした場合のレーザー発振器や、レーザー発振器およびそのレーザー発振器に光学的に接続された光回路などとすることができる。
【００３８】
また動力供給源は、姿勢駆動部をアクチュエータとした場合の圧縮エアや油圧の供給源となるコンプレッサー、油圧ポンプなどとすることが可能であり、該姿勢駆動部をリンク機構とした場合に、それを作動可能とするモーターおよびそのギアボックスならびにその電力供給源とすることができる外、同様のリンク機構やワイヤー牽引機構等を、作業者自らが操作可能とするハンドルやレバーなどを有する入力機構等によるものとすることも可能である。
【００３９】
この発明に包含される雪庇切除方法は、貫通出力部の姿勢駆動部または噴射形状変更機構の何れか一方を備えた貫通出力部を有するこの発明の雪庇切除装置を用いて行うことによって特徴的な作業手順を有したものとなる雪庇除去工程にあり、雪庇除去の前処理工程として、雪庇の一部巾範囲を軒先に直交状となる方向に分断し、その後軒先に平行に切断することによって概略ブロック状の雪庇部分を落下させるよう切除作業を進めなければならず、先に軒先に平行な切断作業を行って軒先の全幅に亘る雪庇が一挙に落下してしまうのを確実に防止するよう除去すべきであり、雪庇の除去作業は、軒先に迫り出した雪庇の左右端何れか一方側から順次切断、落下させて行くように進め、不用意に全ての雪庇が一挙に落下してしまう事態を阻止するのが望ましく、雪庇を所定巾範囲毎に分断する際には、雪庇の先端側から基端側に向けて切断したり、雪庇の基端側から先端側へ向けて切断することも可能であって現場の状況によって適宜最適な手段によればよく、また融雪エネルギー発生手段よっては、雪庇の基端側から先端までを略同時に切断するよう作業を進めることも不可能ではない。
【００４０】
また、雪庇を所定巾毎に分割した後に、貫通出力部を雪庇の基部に沿って軒先に平行状に移動させ、雪庇を個々のブロック状に切断して落下させるよう作業することとなるが、その際に、通常は前工程において所定巾毎に分断済みの各雪庇部分を、軒先の左右端がわの何れか一方から順次切断して行くこととなる外、ブロック状の雪庇部分の一個分毎に個別に縦横切断して落下させて行くという工程としたり、雪庇の形状やボリュームに応じて、落下や屋根の破損などの危険性が高い範囲の雪庇を優先して切断、落下させるようにするなど、現場の状況に応じて最適な手段によるものとすれば良い。
以下では、図面に示すこの発明を代表する実施例と共に、その構造について詳述することとする。                                                                                  
【実施例１】
【００４１】
図１の雪庇切除装置の正面図、図２の雪庇切除装置の側面図、および図３の移動機構部のホースガイドの斜視図に図示される事例は、建造物９軒先９１に並設した移動機構部２と、該移動機構部２に支持されて軒先９１に平行移動可能であり、且つ軒先９１から迫り出した雪庇Ｓに対し、その厚み方向または上下方向に貫通状としてしまう適宜融雪エネルギー発生手段５が組み込まれ、雪庇Ｓの落下干渉後に元の姿勢に復帰可能とする緩衝機構６、および融雪エネルギーの発生方向を、雪庇Ｓ基部と雪庇Ｓ先端がわとを結ぶ軒先９１に略直交する方向に向けるよう姿勢変更可能とする姿勢駆動部７を有する貫通出力部３と、それら貫通出力部３、移動機構部２を夫々作動させ得るための動力供給源４と、それらの遠隔操作部８とを有し、該遠隔操作部８の遠隔操作によって当該貫通出力部３の融雪エネルギーを発生しながら、同貫通出力部３を当該移動機構部２によって軒先９１に平行移動可能になるものとした、この発明の雪庇切除装置における代表的な一実施例を示すものである。
【００４２】
当該雪庇切除装置１は、図１および図２中に示すように、折板構造の屋根を有した比較的大型の建造物９における軒先９１の直下付近に設けられたものであり、該軒先９１における軒天９２部分および軒先９１付近から下方所定範囲の壁面９３に亘り、当該雪庇切除装置１を設置するための図示しない補強を施したものとするのが望ましく、図２中に示すように、軒先９１の直下付近には、縦断面概略矩形状に形成され、その両端を除いた全長に亘る下面中央に一条の案内溝２２が開口された移動機構部２としてのガイドレール２１が配置され、該ガイドレール２１の要所々々毎を、軒端寄りとなる軒天９２に吊り下げられた複数本の吊り金具２３，２３，……によって十分な強度を確保するよう吊着、固定されたものとなっている。
【００４３】
該ガイドレール２１は、図１中に示すように、その全長が、軒先９１の左右全幅よりも僅かに短く設定されており、略全体を占める中央範囲Ｌを水平直線状に形成され、左右端がわの夫々が、僅か下向きに弓形に曲げられ彎曲範囲Ｒを形成したものとされており、図示していないが、当該案内溝２２には逆三角形板状に形成された貫通出力部３用ブラケット３２の上部が緩やかに装着され、図２中に示すように、該ブラケット３２左右角部毎の表裏面に、一対ずつ軸着された合計４個のガイドローラー３３，３３，……が、案内溝２２両縁上に転支され、貫通出力部３がガイドレール２１に沿って垂下、移動自在に組み込まれたものとされ、該ブラケット３２の中央下部には、筐体内に収容されて駆動源となるモーターおよびギアボックス、ならびにそれらによって上下回動可能され、軒端がわに向けて延伸された姿勢変更アーム７１を有する姿勢駆動部７が一体に結合されている。
【００４４】
該姿勢駆動部７姿勢変更アーム７１の先端側には、コイルバネ６１からなる緩衝機構６を介して、先端を軒先９１から迫り出した雪庇Ｓ側に向けたノズル３１が装着され、ノズル３１に下向きの強い力が働いたときに、緩衝機能を発揮可能とするよう設定されたものとなっており、該ノズル３１の基端側には、図１中に示すように、地上の適所に据え置き設置された融雪エネルギー発生手段５である洗車業務用の高圧温水洗浄機５から、進退移動に応じて自動的且つ弾性的に繰り出し、巻き取り動作するホース巻き取り機構５２、および要所々々に配された、図３中に示すような、複数のローラーを概略縦断面形Ｕ字型、または図２中に示すように、概略縦断面形Ｌ字型に配置して壁面９３適所に固定された複数個のホースガイド５３，５３，……を介して円滑に伸縮自在となるよう延伸された送水ホース５１の先端が接続されたものとなっている。
【００４５】
それらホースガイド５３，５３，……は、複数のローラーを概略縦断面形Ｌ字型に配置させたものとした場合に、軸心を水平状に向けて支持されたローラーの先端に送水ホース５１の離脱を防止可能とする板状のフランジを設けたものとすることが可能であり、また、複数のローラーを概略縦断面形レ字型または概略縦断面形Ｖ字型に配置させて送水ホース５１の離脱を阻止可能としたものとすることができる。
【００４６】
さらに、移動機構部２ガイドレール２１の両端外側となる建造物９壁面９３には、図１中に示すように、各軸心が夫々同じ高さ位置に該壁面９３に対して垂直状且つ水平状となる比較的大径のプーリー４１，４１が軸着され、それら一対の大径プーリー４１，４１間には、両プーリー４１，４１間に余る長さ寸法に設定された無端状ワイヤーロープ４２がオープンベルト状に巻き掛けられ、該無端状ワイヤーロープ４２の中途適所には、図２中に示すように、貫通出力部３姿勢駆動部７から延伸された連結腕４３の先端が連結金具４４によって結合され、無端状ワイヤーロープ４２の進退移動に連動し、貫通出力部３がガイドレール２１に沿って往復、移動されるものとなっており、図２中に示すように、該連結腕４３の中途適所に吊着された蔓巻きバネ５４が、ノズル３１から延びる送水ホース５１の中途適所を各ホースガイド５３，５３，……上に弾性的に吊り下げ案内するものとなっている。
【００４７】
図１中に示すように、当該無端状ワイヤーロープ４２の大径プーリー４１，４１間の下側を通る軒先左右端何れか一方側となる部分を、小径プーリー４５，４５を介して地上付近まで誘導し、下部小径プーリー４５に巻き掛けて略緊張状態とし、同図１中の地上付近所定範囲に相当するワイヤーロープ４２部分を、地上作業者が自ら牽引操作可能な遠隔操作部８に設定したものとなっており、また、該遠隔操作部８付近には、姿勢駆動部７のモーターを遠隔操作可能とする図示しない操作入力部を設けたものとなっている。                                                                            
【実施例２】
【００４８】
図４の雪庇切除装置要部の斜視図に示す貫通出力部３は、ノズル３１の中途適所を、ブラケット３２前面中央に立設した概略Ｙ字型の先割れ支持杆３４のＶ字型先端に支持するものとし、緩衝機構６コイルバネ６１の付勢力を受けるノズル３１の上向き姿勢を、適正位置に規制したものとなっており、さらに、ブラケット３２の中央上端には、ノズル３１基端に接続された送水ホース５１から分岐された分岐パイプ５５の先端が、ガイドレール２１の内部天面に向けられた状態に固着され、該分岐パイプ５５先端からは、送水ホース５１を通じて高圧温水洗浄機５からノズル３１に向けて供給される高圧温水の一部が分岐、吐出されるよう設定されたものの一例である。                                                                              
【実施例３】
【００４９】
図５の雪庇切除装置要部の縦断面図に示す移動機構部２は、前記実施例１の図１および図２中に示したプーリー４１，４１およびそれらに巻き掛けられた無端状ワイヤーロープ４２からなる動力供給源４を、貫通出力部３のブラケット３２に設けられた移動用モーター４６によって遠隔操作可能としたものに置き換えたものであり、該移動用モーター４６は、出力軸に出力ローラー４７が設けられ、ブラケット３２のガイドレール２１直下に位置する裏面略中央に、横転Ｌ型の縦断面を有する取り付け金具によって水平軸心状に一体化され、ブラケット３２ガイドローラー３３，３３，……と出力ローラー４７との間にガイドレール２１の案内溝２２の対応する縁部を所定の圧力で挟み込むよう、規制され移動用モーター４６の出力をガイドレール２１に伝達可能なものとなっており、さらに、移動用モーター４６には、直流電流供給用の整流器を内蔵する増幅装置８１、およびその増幅装置８１からの電流出力の切り換え、ならびに起動、停止を、雪庇Ｓの落下可能性のある軒先９１の下側周辺から十分に離れた安全な場所から、遠隔操作可能とする操作入力部８２からなる遠隔操作部８が接続されたものとなっている。                                                                            
【実施例４】
【００５０】
図６の回転ディスクを有する雪庇切除装置を示す側面図に示す事例は、貫通出力部３を円板型鋸刃である回転ディスク３５と、外部からの電流供給を受けてジュール熱（電磁誘導加熱による発熱とすることも可能）を発生し、回転する回転ディスク３５を加熱する図示しない発熱体とからなるものとしたものであり、移動機構部２のガイドレール２１は縦断面逆Ｔ字型のアリ状に形成された上、建造物９軒天９２の先端付近に沿って固定され、出力軸にピニオン４８が設けられた移動用モーター４６の上部に一体化された縦断面概略横転Ｃ字型のアリ溝部２４が摺動自在に嵌着されると共に、該ピニオン４８がガイドレール２１に平行に設置されたラック４９に噛合されたものとなって動力供給源４を形成したものとなっている。
【００５１】
該移動用モーター４６の下部には、緩衝機構６としてのコイルバネ６１を介して概略縦断面Ｌ字型に形成されたブラケットアーム３６が、その軒先９１側に突出される先端を略鉛直状の姿勢とするよう弾性的に支持するよう連結され、当該ブラケットアーム３６の下面には融雪エネルギー発生手段５としての回転駆動用モーター５６が装着され、同ブラケットアーム３６の先端側内部には、回転駆動用モーター５６の回転出力を先端に装着した回転ディスク３５に伝達する図示しないギア、シャフトまたはチェーンやベルトなどの何れかの出力伝達機構が内蔵されたものとなっており、移動用モーター４６および回転駆動用モーター５６の夫々には、それらを個別に制御可能とする図示しない遠隔操作部が、雪庇Ｓの落下の影響を受けない安全な場所から操作可能とするよう設置されたものとなっている。
【００５２】
（実施例の作用）
以上のとおり、図１ないし図３中に示した構成からなるこの発明における実施例１の雪庇切除装置１は、建造物９の軒先９１から、図２中に示すよう雪庇Ｓが突出してしまい、その切除作業を行う場合には、この発明に包含される雪庇切除方法を実施可能とするものであり、以下ではその雪庇切除装置を利用した雪庇切除方法の作業手順を含め、その作用について述べて行くこととする。
【００５３】
地上作業者が、図１中に示す遠隔操作部８を白抜き矢印で示す何れか一方に牽引操作し、建造物９軒先９１の左右巾方向端がわの何れか一方となる、例えば左端側寄りとなる適所まで、貫通出力部３ノズル３１を移動機構部２ガイドレール２１に沿って移動させた後、図２中に示す姿勢駆動部７を遠隔操作して姿勢変更アーム７１を同図２中の一点鎖線で示す姿勢に前倒させてから、融雪エネルギー発生手段である高圧温水洗浄機５を起動して事前に接続されている図示しない水道からの給水を受け、加熱および加圧された高圧温水が、送水ホース５１を通じてノズル３１から噴射されるよう操作し、該ノズル３１からの噴射を継続させたまま姿勢駆動部７を、同図２中に実線で示す姿勢までゆっくりと起こすよう操作するか、または両姿勢間を繰り返して往復移動するよう操作するかして、図７の切除される雪庇の斜視図中に、破線Ａで示すように左右巾方向に連なる雪庇Ｓを所定巾に分断し、高圧温水洗浄機５からの送水を一端停止させる。
【００５４】
そして、遠隔操作部８を操作してノズル３１をさらに雪庇Ｓの所定巾分移動させ、姿勢変更アーム７１を同図２中の一点鎖線で示す姿勢に前倒するよう姿勢駆動部７を操作し、高圧温水洗浄機５からの送水を再開して同図２中に実線で示す姿勢までノズル３１をゆっくりと起こすよう操作するか、または両姿勢間を繰り返して往復移動するよう操作するかして、図７中の破線Ｂに示すように雪庇Ｓの所定巾部分を分断状とした後、高圧温水洗浄機５の送水を停止させ、ノズル３１を軒先９１の左端寄りとなる箇所まで移動させ、雪庇Ｓの基部に向かうように図２中に実線で示す姿勢としてから、高圧温水を噴射させながら遠隔操作部８を操作してガイドレール２１に沿ってゆっくりと移動させ、または分断された雪庇Ｓ部分の一箇所分の範囲毎を個別に複数回往復移動し、図７中の破線Ｃに示すように切断して雪庇Ｓを所定巾毎に各々ブロック状に切断しながら、順次落下させるよう切除作業を進め、同様の作業を繰り返すことによって軒先９１から迫り出した雪庇Ｓを全幅に亘って切断、落下させることが可能となる。
【００５５】
ガイドレール２１に沿って移動するノズル３１は、図１中に示す、軒先９１の中央略全幅Ｌに亘って水平直線状に案内され、軒先９１の左右端がわとなる範囲Ｒで下向き弓形状に沿うよう誘導され、雪庇Ｓの左右端直下まで移動せずとも雪庇Ｓの左右端部分を切断可能とするよう高圧温水の噴射方向を制御できるものとしてあり、また、図２中に示した緩衝機構６コイルバネ６１は、切断によって落下してくる雪庇Ｓがノズル３１に接触し、下向きの強い力が作用した場合に、該コイルバネ６１が弾性的に撓み、ノズル３１を前倒状に回避させて衝撃を和らげ、雪庇Ｓが落下した後には、その弾性力によって瞬時に元の姿勢に復帰させるものとなる。
【００５６】
図１中に示してあるように、高圧温水洗浄機５から延伸された送水ホース５１の基端付近にホース巻き取り機構５２を設け、該ホース巻き取り機構５２とノズル３１との間の複数適所にホースガイド５３，５３，……を設けるようにし、ガイドレール２１に沿って往復移動するノズル３１の動きに応じて発生する送水ホース５１の不足分や余剰部分を自動的且つ弾性的に繰り出し、巻き戻し可能とし、送水ホース５１の弛みや緊張による送水ホース５１それ自体の摩耗や破損、およびノズル３１ならびにその周辺部品の移動不良や破損などを未然に防止する。
【００５７】
実施例２の図４に示すように、ブラケット３２の前面中央に概略Ｙ字型の先割れ支持杆３４を立設し、そのＶ字型先端にノズル３１の中途適所を支持させるようにしたことにより、緩衝機構６コイルバネ６１によって上向きに付勢されたノズル３１を、建造物９軒先９１付近の所望箇所に正確に向けることが可能となり、落下する雪庇Ｓがノズル３１に干渉し、同図４中の一点鎖線に示すように、ノズル３１が前倒された後に元の姿勢に復帰する際に、該先割れ支持杆３４がノズル３１の復帰姿勢を正確に規制可能にする。また、同図４中に示すように、ノズル３１に接続された送水ホース５１の中途適所から分岐パイプ５５を分岐させ、その先端をブラケット３２の上端中央に開口するよう配置させたものとし、分岐パイプ５５を通じて供給される高圧温水が、ガイドレール２１の内側に吐出され、ガイドローラー３３，３３，……付近に浸入した氷や雪などを自動的に融解、排除する。
【００５８】
また、実施例３の図５中に示すように、ノズル３１を有する貫通出力部３を、出力ローラー４７を設けた移動用モーター４６によってガイドレール２１に沿って移動可能となるようにし、図１に示したような、プーリー４１，４１と無端状ワイヤーロープ４２とによる動力供給源４とした場合に比較し、遠隔操作によって貫通出力部３を移動する際の作業者の負担を大幅に軽減することができるものとなり、また雪庇Ｓの落下範囲からできるだけ離れた場所においても簡便に操作することを可能としている。
【００５９】
実施例４の図６中に示した雪庇切除装置１は、貫通出力部３を放熱可能とした回転ディスク３５とし、回転ディスク３５の機械的切断力に加え、放熱による融解を可能として雪庇Ｓをより迅速に切除し得るようにし、しかも移動機構部２を、縦断面逆Ｔ字型のアリ状に形成されたガイドレール２１と、移動用モーター４６の上部に一体化されたアリ溝部２４とを組み合わせ、ラック４９とピニオン４８とによる駆動機構を併設したものとして、プーリー４１，４１に無端状ワイヤーロープ４２を組み合わせたものや、移動用モーター４６に出力ローラー４７を組み合わせたものに比較してスリップによる作動不良が発生し難く、さらに確実な駆動が可能にしている。
【００６０】
（実施例の効果）
以上のような構成からなる実施例の雪庇切除装置１は、前記この発明の効果の項で記載の特徴に加え、図１中に示した実施例１のように、ガイドレール２１がノズル３１を建造物９軒先９１に沿って平行状に案内し、建造物９左右端に配された大径プーリー４１，４１間に巻き掛けた無端状ワイヤーロープ４２がノズル３１をガイドレール２１に沿って往復移動可能となり、軒先９１の左右端何れかがわとなる無端状ワイヤーロープ４２の一部を地上付近に迂回させるよう誘導し、落下する雪庇Ｓを回避可能な場所から移動機構部２を遠隔操作できることとなり、地上作業者の安全を確保することができるという効果を奏するものとなる。
【００６１】
融雪エネルギー発生手段である高圧温水洗浄機５は、融雪剤などの薬剤成分類を添加した温水を貫通出力部３に供給し、より効率的に雪庇Ｓを切断できるようにすることが可能である外、高圧水または高圧温水だけを供給した場合であっても秀れた切断効果を発揮でき、しかも落下した雪庇Ｓおよびその融雪排水中に不純物が含まれず、自然環境に優しいという利点を得ることができる。また、高圧温水洗浄機５から貫通出力部３まで延伸された送水ホース５１にホース巻き取り機構５２、およびホースガイド５３，５３，……を組み合わせて送水ホース５１の円滑な進退移動を可能とし、送水ホース５１がガイドレール２１に沿った貫通出力部３の移動を妨げてしまうのを阻止し、送水ホース５１および移動機構部２や貫通出力部３などの各部の不要な変形や破損を確実に防止することができ、雪庇切除装置１の耐久強度を格段に向上させる効果が得られる。
【００６２】
図１中に示した洗車業務用の据え置き型の高圧温水洗浄機５を、一般家庭清掃用に製造されたもので、取り外しおよび持ち運びが容易な比較的小型の高圧温水洗浄機５に置き換えたものによるものでは、設置費用を大幅に節減でき、万一故障した場合にも簡便に取り外して修理工場まで輸送することができ、交換作業も迅速に行うことができるという実用上の利点を得ることができる。
【００６３】
図２中に示したもののように、ノズル３１が緩衝機構６であるコイルバネ６１によって弾性的に前倒可能に支持されるようにしたものでは、切断し終えた雪庇Ｓがノズル３１に落下、干渉してしまうことがあったとしても、柔軟に前倒状の姿勢となって雪庇Ｓによる荷重を回避し、その直後に速やかに元の姿勢に復帰できるものとなり、ノズル３１の破損をうまく回避して実質的に貫通出力部３の耐久強度を高めるものとなり、貫通出力部３に姿勢駆動部７およびその姿勢変更アーム７１を設けたものでは、同図２中の破線に示すように、雪庇Ｓを軒先９１に直交する方向に切断することを可能とし、この発明に包含される雪庇切除方法を実施し易いものとなし得ることから、切除作業中に全ての雪庇Ｓが一挙に落下して周囲の危険を拡大させてしまう事態を未然に防止することができるという効果を発揮する。
【００６４】
図４に示した実施例２の雪庇切除装置１は、ノズル３１を所定の姿勢に規制、支持可能とする先割れ支持杆３４を設けたものとし、雪庇Ｓの干渉などの外力を受けて姿勢が変わった後、緩衝機構６コイルバネ６１の弾性的付勢力を受けてもとの姿勢に復帰する際に正確に元の姿勢に復帰可能となり、危険な高所作業によるノズル３１の調整作業を大幅に削減して安全性をより高めたものとすることができ、また、同図４中に示したように、ブラケット３２の上端中央に分岐パイプ５５の端部を上向き固定してあり、ガイドレール２１内およびガイドローラー３３，３３，……周辺などに詰まった雪や氷などを自動的に融解して作動不良の発生を確実に防止し、より効率的な雪庇Ｓ切除作業を実現可能とするものとなり、しかも高所におけるガイドレール２１やガイドローラー３３，３３，……に詰まった雪や氷の除去作業を一切不要とし、雪庇Ｓ切除作業の安全性を格段に高めることができる効果がもたらされる。
【００６５】
実施例３の図５に示した雪庇切除装置１では、貫通出力部３をガイドレール２１に沿って移動させる動力供給源４を、出力ローラー４７が装着された移動用モーター４６によって実現されるようにしたものでは、電力供給用のケーブルを延長させるだけで、遠隔操作部８の増幅装置８１および操作入力部８２をより安全な場所に自由に配置、設定し得るものとなり、高所や雪庇Ｓの落下可能性のある地上範囲などの危険箇所を避け、安全を確保した場所に操作入力部８２を設け、それらを操作する作業者の安全を一層高めることができるという効果に繋がることとなる。
【００６６】
そして、図６に示した実施例４の雪庇切除装置１は、発熱体が発生した熱の供給を受けて放熱する回転ディスク３５を、融雪エネルギー発生手段５である回転駆動用モーター５６によって回転駆動するようにしてあり、回転ディスク３５の回転による機械的切削に加え、放熱によってさらに効果的な雪庇Ｓ切除を実現し、従来型の鋸を利用した雪庇Ｓの切断技術に比較して秀れた作業効率を上げることができることになり、しかも回転駆動用モーター５６に凍結や雪の詰まりによる回転摩擦の増加や回転停止などの弊害を確実に防止することも可能にすることから、高所での解凍作業や分解掃除作業などを不要として作業負担が少なく、安全性にも秀れたものになるという特徴を発揮することになる。
【００６７】
（結  び）
叙述の如く、この発明の雪庇切除装置、およびそれを利用した雪庇切除方法は、その新規な構成によって所期の目的を遍く達成可能とするものであり、しかも製造も容易であることから、従前からの鋸やワイヤー類を利用した雪庇切断装置などに比較し、耐久強度も高められ、貫通出力部から高圧温水やレーザー光などの融雪エネルギーを発生するようにして大幅な軽量化を実現でき、雪庇の切断作業を静粛性に秀れ且つ効率的なものにすると共に、部品交換の頻度を削減して低廉で遥かに経済的なものにすることができる上、危険な屋根上からの雪庇切除作業を一切不要とし、工場やショッピングセンターなどに多用される折板構造屋根の雪庇除去に多大な作業負担を要することとなっている大規模建造物を管理する企業は勿論のこと、雪庇の落下事故に巻き込まれる危険性の高い一般住宅の管理者にも高く評価され、広範に渡って利用、普及していくものになると予想される。                                                                
【図面の簡単な説明】
【００６８】
図面は、この発明の雪庇切除装置、およびそれを利用した雪庇切除方法の技術的思想を具現化した代表的な幾つかの実施例を示すものである。
【図１】雪庇切除装置を示す正面図である。
【図２】雪庇切除装置の要部を断面化して示す側面図である。
【図３】ホースガイドを示す斜視図である。
【図４】貫通出力部を具体的に示す斜視図である。
【図５】モーター駆動による貫通出力部を断面化して示す側面図である。
【図６】回転ディスクを有する雪庇切除装置要部を示す側面図である。
【図７】切除される雪庇を示す斜視図である。
【符号の説明】
【００６９】
１      雪庇切除装置
２      移動機構部
２１    同  ガイドレール
Ｌ    同  中央範囲
Ｒ    同  彎曲範囲
２２    同  案内溝
２３    同  吊り金具
２４    同  アリ溝部
３      貫通出力部
３１    同  ノズル
３２    同  ブラケット
３３    同  ガイドローラー
３４    同  先割れ支持杆
３５    同  回転ディスク
３６    同  ブラケットアーム
４      動力供給源
４１    同  プーリー
４２    同  無端状ワイヤーロープ
４３    同  連結腕
４４    同  連結金具
４５    同  小径プーリー
４６    同  移動用モーター
４７    同  出力ローラー
４８    同  ピニオン
４９    同  ラック
５      高圧温水洗浄機（融雪エネルギー発生手段）
５１    同  送水ホース
５２    同  ホース巻き取り機構
５３    同  ホースガイド
５４    同  蔓巻きバネ
５５    同  分岐パイプ
５６    同  回転駆動用モーター
６      緩衝機構
６１    同  コイルバネ
７      姿勢駆動部
７１    同  姿勢変更アーム
８      遠隔操作部
８１    同  増幅装置
８２    同  操作入力部
９      建造物
９１    同  軒先
９２    同  軒天
９３    同  壁面
Ｓ      雪庇                                                                                                          
【図１】
2007327241.tif 000003
【図２】
2007327241.tif 000004
【図３】
2007327241.tif 000005
【図４】
2007327241.tif 000006
【図５】
2007327241.tif 000007
【図６】
2007327241.tif 000008
【図７】
2007327241.tif 000009